(57)【要約】【課題】メンテナンス性に優れた空調室内機を提供する。【解決手段】室内機３のフィルタ機構３３は、フィルタ５０と、清掃ユニット５１と、支持フレーム５２と、を有する。支持フレーム５２は、フィルタ５０および清掃ユニット５１を支持し、前フレーム５２ａと後フレーム５２ｂとを有する。前フレーム５２ａは、支持フレーム５０の前部分を構成し、左前連結部６１ａを有する。後フレーム５２ｂは、支持フレーム５０の後部分を構成し、左後連結部６１ｂを有する。左後連結部６１ｂは、ネジによって左前連結部６１ａと螺着される。左前連結部６１ａおよび左後連結部６１ｂの一方は第１回転抑制リブ９１ａを含み、他方は第１係合部９４ａを含む。第１係合部９４ａは、第１回転抑制リブ９１ａのネジの回転方向近傍に隣接する。【選択図】図８
2014070824.tif 000002
【特許請求の範囲】
【請求項１】
フィルタ（５０）と、前記フィルタを支持する支持フレーム（５２）と、を有するフィルタ清掃装置（３３）を備え、
前記支持フレームは、前記支持フレームの前部分を構成する前フレーム（５２ａ）と、前記支持フレームの後部分を構成する後フレーム（５２ｂ）と、を有し、
前記前フレームは、第１前連結部（６１ａ）を有し、
前記後フレームは、ネジによって前記第１前連結部と螺着される第１後連結部（６１ｂ）を有し、
前記第１前連結部および前記第１後連結部の一方は、第１相対回転抑制部（９１ａ）を含み、
前記第１前連結部および前記第１後連結部の他方は、前記第１相対回転抑制部の前記ネジの回転方向近傍に隣接する第１当接部（９４ａ）を含む、
空調室内機（３）。
【請求項２】
前記第１前連結部および前記第１後連結部の一方は、第１嵌合リブ（８１ａ）をさらに含み、
前記第１前連結部および前記第１後連結部の他方は、前記第１嵌合リブと嵌合する第１嵌合部（８０ａ）をさらに含む、
請求項１に記載の空調室内機。
【請求項３】
前記前フレームおよび前記後フレームの一方は、引掛部（７６）をさらに有し、
前記前フレームおよび前記後フレームの他方は、前記引掛部が係止する受け部（７８）をさらに有する、
請求項１または２に記載の空調室内機。
【請求項４】
前記引掛部の近傍には、第２嵌合リブ（８１ｂ）および前記第２嵌合リブと嵌合する第２嵌合部（８０ｂ）の一方が配設され、
前記受け部の近傍には、前記第２嵌合リブおよび前記第２嵌合部の他方が配設される、
請求項３に記載の空調室内機。
【請求項５】
前記前フレームは、第２前連結部（６３ａ）をさらに有し、
前記後フレームは、ネジによって前記第２前連結部と螺着される第２後連結部（６３ｂ）をさらに有し、
前記第２前連結部および前記第２後連結部の一方は、第２相対回転抑制部（９１ｂ）を含み、
前記第２前連結部および前記第２後連結部の他方は、前記第２相対回転抑制部の前記ネジの回転方向近傍に隣接する第２当接部（９４ｂ）を含む、
請求項１から４に記載の空調室内機。
【請求項６】
前記第２前連結部および前記第２後連結部の一方は、第３嵌合リブ（８１ｃ）をさらに含み、
前記第２前連結部および前記第２後連結部の他方は、前記第３嵌合リブと嵌合する嵌合部（８０ｃ）をさらに含む、
請求項５に記載の空調室内機。
【請求項７】
前記前フレームは、左端部近傍に前記第１前連結部を有し、右端部近傍に前記第２前連結部を有し、
前記後フレームは、左端部近傍に前記第１後連結部を有し、右端部近傍に前記第２後連結部を有する、
請求項５または６に記載の空調室内機。
【発明の詳細な説明】
【技術分野】
【０００１】
本発明は、空調室内機に関する。
【背景技術】
【０００２】
従来、フィルタに付着した塵埃を除去するフィルタ清掃装置を備えた空調室内機が知られている。例えば、特許文献１（特開２０１０−１９７０３４号公報）に開示された空調室内機は、支持フレームに支持されたフィルタを動作させて回転ローラと接触させることにより、フィルタに付着した塵埃を除去するフィルタ清掃装置を備えている。
【発明の概要】
【発明が解決しようとする課題】
【０００３】
ところで、空調室内機は、通常、天井近傍に設置されることが多い。よって、上に凸に湾曲する形状の支持フレームを採用した場合、空調室内機を設置した状態では支持フレームの取り外しおよび取り付けをするための作業空間を天井との間に確保しにくく、メンテナンス性が悪化することが懸念される。そこで本発明の課題は、メンテナンス性に優れた空調室内機を提供することである。
【課題を解決するための手段】
【０００４】
本発明の第１観点に係る空調室内機は、フィルタ清掃装置を備える。フィルタ清掃装置は、フィルタと、支持フレームと、を有する。支持フレームは、フィルタを支持し、前フレームと後フレームとを有する。前フレームは、支持フレームの前部分を構成し、第１前連結部を有する。後フレームは、支持フレームの後部分を構成し、第１後連結部を有する。第１後連結部は、ネジによって第１前連結部と螺着される。第１前連結部および第１後連結部の一方は、第１相対回転抑制部を含む。第１前連結部および第１後連結部の他方は、第１当接部を含む。第１当接部は、第１相対回転抑制部のネジの回転方向近傍に隣接する。
【０００５】
本発明の第１観点に係る空調室内機では、支持フレームは、第１前連結部を有する前フレームと、ネジによって第１前連結部と螺着される第１後連結部を有する後フレームと、を有する。これにより、空調室内機を設置した状態において前フレームを容易に取り外すことができ、前フレームに装着されている部材などの修理や交換等を効率的に行うことが可能となる。したがって、メンテナンス性が向上する。
【０００６】
さらに本発明の第１観点に係る空調室内機では、前フレームの第１前連結部および後フレームの第１後連結部の一方は第１相対回転抑制部を含み、他方は第１相対回転抑制部のネジの回転方向近傍に隣接する第１当接部を含む。これにより、前フレームと後フレームとを固定する場合に、第１前連結部と第１後連結部とを螺着する時のネジの締付けトルクにより、前フレームと後フレームとが相対回転しそうになっても、第１相対回転抑制部と第１当接部とが当接して制動する。したがって、前後のフレームの位置ずれが抑制される。
【０００７】
本発明の第２観点に係る空調室内機は、第１観点に係る空調室内機であって、第１前連結部および第１後連結部の一方は、第１嵌合リブをさらに含む。第１前連結部および第１後連結部の他方は、第１嵌合リブと嵌合する第１嵌合部をさらに含む。
【０００８】
本発明の第２観点に係る空調室内機では、第１前連結部および第１後連結部の一方は第１嵌合リブをさらに含み、他方は第１嵌合部をさらに含む。これにより、前フレームと後フレームとを連結する際の位置決めが容易となり、また衝撃等の外力に対する支持フレームの強度が高まる。したがって、組立性および剛性が向上する。
【０００９】
本発明の第３観点に係る空調室内機は、第１観点又は第２観点に係る空調室内機であって、前フレームおよび後フレームの一方は、引掛部をさらに有する。前フレームおよび後フレームの他方は、引掛部が係止する受け部をさらに有する。
【００１０】
本発明の第３観点に係る空調室内機では、前フレームおよび後フレームの一方は引掛部をさらに有し、他方は受け部をさらに有する。これにより、前フレームと後フレームとを連結する際の位置決めがさらに容易となり、また衝撃等の外力に対する支持フレームの強度がさらに高まる。
【００１１】
本発明の第４観点に係る空調室内機は、第３観点に係る空調室内機であって、引掛部の近傍には、第２嵌合リブおよび第２嵌合リブと嵌合する第２嵌合部の一方が配設される。受け部の近傍には、第２嵌合リブおよび第２嵌合部の他方が配設される。
【００１２】
本発明の第４観点に係る空調室内機では、引掛部の近傍には、第２嵌合リブおよび第２嵌合部の一方が配設され、受け部の近傍には、第２嵌合リブおよび第２嵌合部の他方が配設される。これにより、前フレームと後フレームとを連結する際の位置決めがさらに容易となり、また衝撃等の外力に対する支持フレームの強度がさらに高まる。
【００１３】
本発明の第５観点に係る空調室内機は、第１観点から第４観点のいずれかに係る空調室内機であって、前フレームは、第２前連結部をさらに有する。後フレームは、ネジによって第２前連結部と螺着される第２後連結部をさらに有する。第２前連結部および第２後連結部の一方は、第２相対回転抑制部を含む。第２前連結部および第２後連結部の他方は、第２相対回転抑制部のネジの回転方向近傍に隣接する第２当接部を含む。
【００１４】
本発明の第５観点に係る空調室内機では、前フレームは第２前連結部をさらに有し、後フレームは第２後連結部をさらに有する。これにより、衝撃等の外力に対する支持フレームの強度がさらに高まる。
【００１５】
本発明の第６観点に係る空調室内機は、第５観点に係る空調室内機であって、第２前連結部および第２後連結部の一方は、第３嵌合リブをさらに含む。第２前連結部および第２後連結部の他方は、第３嵌合リブと嵌合する嵌合部をさらに含む。
【００１６】
本発明の第６観点に係る空調室内機では、第２前連結部および第２後連結部の一方は第３嵌合リブをさらに含み、他方は嵌合部をさらに含む。これにより、前フレームと後フレームとを連結する際の位置決めがさらに容易となり、また衝撃等の外力に対する支持フレームの強度がさらに高まる。
【００１７】
本発明の第７観点に係る空調室内機は、第５または第６観点に係る空調室内機であって、前フレームは、左端部近傍に第１前連結部を有し、右端部近傍に第２前連結部を有する。後フレームは、左端部近傍に第１後連結部を有し、右端部近傍に第２後連結部を有する。
【００１８】
本発明の第７観点に係る空調室内機では、前フレームおよび後フレームは、左右端部近傍に連結部をそれぞれ有する。これにより、衝撃等の外力に対する支持フレームの強度がさらに高まる。
【発明の効果】
【００１９】
本発明の第１観点に係る空調室内機では、前フレームに装着されている部材などの修理や交換等を効率的に行うことが可能となり、メンテナンス性が向上する。また、前フレームと後フレームとを固定する場合に、前後のフレームの位置ずれが抑制される。
【００２０】
本発明の第２観点に係る空調室内機では、前フレームと後フレームとを連結する際の位置決めが容易となり、また衝撃等の外力に対する支持フレームの強度が高まり、組立性および剛性が向上する。
【００２１】
本発明の第３観点および第４観点に係る空調室内機では、前フレームと後フレームとを連結する際の位置決めがさらに容易となり、また衝撃等の外力に対する支持フレームの強度がさらに高まる。
【００２２】
本発明の第５観点に係る空調室内機では、衝撃等の外力に対する支持フレームの強度がさらに高まる。
【００２３】
本発明の第６観点に係る空調室内機では、前フレームと後フレームとを連結する際の位置決めがさらに容易となり、また衝撃等の外力に対する支持フレームの強度がさらに高まる。
【００２４】
発明の第７観点に係る空調室内機では、衝撃等の外力に対する支持フレームの強度がさらに高まる。
【図面の簡単な説明】
【００２５】
【図１】本発明の一実施形態に係る室内機を使用した空気調和装置の正面図。
【図２】本発明の一実施形態に係る室内機の正面斜視図。
【図３】図２のIII-III線断面図。
【図４】フィルタ機構および室内熱交換器の正面斜視図。
【図５】フィルタユニットの正面斜視図。
【図６】支持フレームの正面斜視図。
【図７】前フレームの正面斜視図。
【図８】後フレームの正面斜視図。
【図９Ａ】左前連結部を背面側から見た拡大斜視図。
【図９Ｂ】左後連結部を正面側から見た拡大斜視図。
【図１０Ａ】中央前連結部を背面側から見た拡大斜視図。
【図１０Ｂ】中央後連結部を正面側から見た拡大斜視図。
【図１１Ａ】右前連結部を背面側から見た拡大斜視図。
【図１１Ｂ】右後連結部を正面側から見た拡大斜視図。
【発明を実施するための形態】
【００２６】
以下、図面を参照しながら、本発明の実施形態について説明する。なお、以下の実施形態は、本発明の具体例であって、本発明の技術的範囲を限定するものではない。また、以下の説明において、上、下、左、右、正面（前）、背面（後）といった方向を示す語句を用いているが、これらの方向は、特にことわりのない限り、図１、図３および図９Ａから図１１Ｂに示す方向を意味する。
【００２７】
（１）空気調和装置１
図１は、空気調和装置１の正面図である。空気調和装置１は、室内空間の熱負荷を処理して空気調和を実現する装置である。空気調和装置１は、室外機２と、室内機３と、冷媒配管４とから構成され、冷房運転や暖房運転等を行うことができる。
【００２８】
（１−１）室外機２
室外機２は、室外に設置されており、その外郭はケーシング２０によって構成されている。ケーシング２０の内部には、主として室外熱交換器、室外ファンおよび圧縮機等が収容されている（図示省略）。室外機２は、室内機３と冷媒配管４を介して接続されて冷媒回路を構成している。
【００２９】
（１−２）室内機３
次に図１から図３を参照して、室内機３について説明する。図２は、室内機３の正面斜視図である。図３は、図２のIII-III線断面図である。
【００３０】
室内機３は、壁掛けタイプで、室内機保持具（図示省略）を介して室内の天井近傍の壁に設置されている。室内機３の外郭はケーシング３０によって構成されている。
【００３１】
（１−２−１）ケーシング３０
ケーシング３０は、左右に長い横長の形状をしており、主として、樹脂製の板状部材である背面板３０１、底板３０２、左側板３０３、右側板３０４、天板３０５および正面板３０６により、それぞれ構成されている。なお、背面板３０１以外は、室内機３を設置した状態で取り外しが可能である。
【００３２】
背面板３０１は、ケーシング３０の背面部分を構成しており、室内機保持具に固定されている。底板３０２は、ケーシング３０の底面部分を構成しており、下吸込口３０２ａが形成されている。下吸込口３０２ａは、フラップ３０２ｂで塞がれている。フラップ３０２ｂは、フラップモータ（図示省略）の駆動によって回動し、下吸込口３０２ａの開閉を行っている。
【００３３】
左側板３０３および右側板３０４は側面視において略扇形状の形状を有しており、左側板３０３はケーシング３０の左側面を、右側板３０４は右側面をそれぞれ構成している。天板３０５は、ケーシング３０の天面部分を構成しており、上吸込口３０５ａが形成されている。
【００３４】
正面板３０６は正面側に膨らむように湾曲している。正面板３０６の下端近傍に吹出口３０６ａが形成されており、吹出口３０６ａはフラップ３０６ｂで塞がれている。フラップ３０６ｂは、フラップモータ（図示省略）の駆動によって回動し、吹出口３０６ａの開閉を行っている。
【００３５】
ケーシング３０の内部には、主として、室内熱交換器３１、室内ファン３２、フィルタ機構３３および制御部（図示せず）等が収容されている。
【００３６】
（１−２−２）室内熱交換器３１
室内熱交換器３１は、クロスフィン型熱交換器である。室内熱交換器３１は、室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。
【００３７】
室内熱交換器３１は、側面視において前方および上方に突出するように屈曲した形状を有し、室内ファン３２の上方に配置されている。
【００３８】
（１−２−３）室内ファン３２
室内ファン３２はクロスフローファンである。室内ファン３２は、室内熱交換器３１の下方に設けられており、その略上半分が、室内熱交換器３１に囲われている。室内ファン３２は、ファンモータ（図示省略）と接続されており、ファンモータが駆動することにより回転する。室内ファン３２の回転により、室内の空気が、室内機３の上吸込口３０５ａおよび下吸込口３０２ａからケーシング３０内部へと吸い込まれ、室内熱交換器３１を通過して吹出口３０６ａから吹き出される。
【００３９】
（１−２−４）フィルタ機構３３
以下、図３から図６を参照してフィルタ機構３３について説明する。図４は、フィルタ機構３３および室内熱交換器３１の正面斜視図である。図５は、フィルタユニット５０の正面斜視図である。図６は、支持フレーム５２の正面斜視図である。
【００４０】
フィルタ機構３３は、室内熱交換器３１の空気流上流側において室内熱交換器３１を覆うように配設されており、ケーシング３０内に取り込んだ室内空気に含まれる塵埃を除去して、室内熱交換器３１に塵埃が付着することを防いでいる。フィルタ機構３３は、主として、フィルタユニット５０と、清掃ユニット５１と、支持フレーム５２と、から構成されている。
【００４１】
（１−２−４−１）フィルタユニット５０
フィルタユニット５０は、主として、エアフィルタ５００と、フィルタガイド５０１とから構成されている。エアフィルタ５００は、樹脂製の糸等で平織りまたは綾織された網であって、環形状に成形されている。エアフィルタ５００は、フィルタガイド５０１に掛け渡されており、無端ベルト状に保たれている。
【００４２】
フィルタガイド５０１は、主として、左右に延びる第１ローラ５０２および第２ローラ５０３と、側面視略台形状に湾曲している左連結部材５０４ａおよび右連結部材５０４ｂ（以下、左連結部材５０４ａおよび右連結部材５０４ｂを併せて連結部材５０４と呼ぶ）と、から構成されている。
【００４３】
第１ローラ５０２と第２ローラ５０３とは、連結部材５０４によって連結されており、第１ローラ５０２は、連結部材５０４の前端において回転自在に配設されて、エアフィルタ５００の前側折返し部分を支持している。また、第２ローラ５０３は、連結部材５０４の後端において回転自在に配設されて、エアフィルタ５００の後側折返し部分を支持している。このように第１ローラ５０２および第２ローラ５０３が、連結部材５０４の前端または後端において回転自在に配設されていることにより、エアフィルタ５００は周回できるように保持されている。
【００４４】
フィルタユニット５０は、ケーシング３０内部の左右に１つずつ配置されており、左側には左フィルタユニット５０ａが、右側には右フィルタユニット５０ｂが配置されている。左フィルタユニット５０ａおよび右フィルタユニット５０ｂは、支持フレーム５２に脱着可能に装着されている。
【００４５】
（１−２−４−２）清掃ユニット５１
清掃ユニット５１は、エアフィルタ５００の前側折返し部分近傍において支持フレーム５２に固定されている。清掃ユニット５１は、エアフィルタ５００に付着した塵埃を除去するもので、主として、フィルタ駆動部５１１、ブラシ５１２、ブラシ駆動部５１３、ブラシ清掃部５１４、塵埃受け部５１５等を有している。
【００４６】
フィルタ駆動部５１１は、ローラ用モータ等で構成され、第１ローラ５０２の回転軸に接続されている。ローラ用モータが駆動すると第１ローラ５０２が回転し、エアフィルタ５００が周回する。
【００４７】
ブラシ５１２は、室内機３の長手方向に沿って細長い形状を有しており、長手方向に直行する断面が略円形の形状を有している。ブラシ５１２は、第１ローラ５０２の下方近傍に回転自在にとりつけられており、ブラシ５１２の一部はエアフィルタ５００に接触している。
【００４８】
ブラシ駆動部５１３は、ステッピングモータ等で構成され、ブラシ５１２の回転軸部分と接続されており、ステッピングモータが駆動することでブラシ５１２が回転するようになっている。
【００４９】
ブラシ清掃部５１４は、ブラシ５１２の下方に配置され、ブラシ５１２に向かって突出しており、その上端部分がブラシ５１２と接触している。ブラシ清掃部５１４がこのように設けられていることで、ブラシ５１２の回転に伴ってブラシ５１２に付着した塵埃が掻き落とされるようになっている。
【００５０】
塵埃受け部５１５は、ブラシ５１２及びブラシ清掃部５１４の下方に配置されている。塵埃受け部５１５内には、ブラシ清掃部５１４によってブラシ５１２から掻き落とされた塵埃が貯められる。
【００５１】
（１−２−４−３）支持フレーム５２
以下、図６から図８を参照して支持フレーム５２について説明する。図７は、前フレーム５２ａの正面斜視図である。図８は、後フレーム５２ｂの正面斜視図である。
【００５２】
支持フレーム５２は、フィルタユニット５０および清掃ユニット５１を支持している。支持フレーム５２は室内熱交換器３１の空気流上流側に配置されることから熱交換抵抗となりうる。したがって、支持フレーム５２は、室内熱交換器３１を覆う面積が少なくなるように複数の細長い部材を組み合せることにより構成されている。
【００５３】
具体的に支持フレーム５２は、主として、ケーシング３０の天板３０５に沿って前後に延びる左端部材５２１、中央部材５２２および右端部材５２３と、ケーシング３０の幅方向に沿って左右に延びる前端部材５２４と後端部材５２５で構成されている。
【００５４】
左端部材５２１は支持フレームの左端部分を構成し、右端部材５２３は支持フレームの右端部分を構成している。中央部材５２２は、支持フレーム５２の中央部分に配設され、支持フレーム５２を左右に仕切っている。左端部材５２１、中央部材５２２および右端部材５２３の前端は、前端は前端部材５２４と連結されており、後端は後端部材５２５と連結されている。左端部材５２１、中央部材５２２および右端部材５２３は、フィルタユニット５０の形状に沿うように前端および後端が垂れ下がっている。
【００５５】
左端部材５２１と中央部材５２２との間には、左前支持部材５２６ａおよび左後支持部材５２６ｂが配設されており、左フィルタ設置スペース５２６が形成されている。また、中央部材５２２と右端部材５２３との間には、右前支持部材５２７ａおよび右後支持部材５２７ｂが配設されており、右フィルタ設置スペース５２７が形成されている。そして、左フィルタ設置スペース５２６において左フィルタユニット５０ａが、右フィルタ設置スペース５２７において右フィルタユニット５０ｂが、それぞれ設置されている。
【００５６】
左端部材５２１の内面および中央部材５２２の左側面には、左フィルタユニット５０ａを差し込む左フィルタ差込部５２８ａが形成されており、右端部材５２３の内面および中央部材５２２の右側面には、右フィルタユニット５０ｂを差し込む右フィルタ差込部５２８ｂ（以下、左フィルタ差込部５２８ａおよび右フィルタ差込部５２８ｂを併せてフィルタ差込部５２８と呼ぶ）が形成されている。
【００５７】
フィルタ差込部５２８は、連結部材５０４の形状に沿うように湾曲しており、その前端部分は開放している。この前端の開放部分を介して、フィルタユニット５０が支持フレーム５２に挿入される。具体的には、エアフィルタ５００の前側折返し部分近傍に設けられた把手５０５ａおよび５０５ｂを掴んで、エアフィルタ５００の後側折返し部分をフィルタ差込部５２８の前端の開放部分に差込んで、徐々に押し上げながら背面側へ押し込んでいくと、フィルタユニット５０がフィルタ差込部５２８に嵌りこんだ状態でフィルタ差込部５２８の後端にまで達し挿入が完了する。このようにしてフィルタユニット５０が支持フレーム５２に装着される。
【００５８】
ここで、支持フレーム５２は、左前支持部材５２６ａおよび右前支持部材５２７ａと、左後支持部材５２６ｂおよび右後支持部材５２７ｂとの間で前後に分割できるようになっている。具体的には、左端部材５２１が前側左端部材５２１ａと後側左端部材５２１ｂとに分割され、中央部材５２２が前側中央部材５２２ａと後側中央部材５２２ｂとに分割され、右端部材５２３が前側右端部材５２３ａと後側右端部材５２３ｂとに分割される。すなわち、支持フレーム５２は、前側左端部材５２１ａ、前側中央部材５２２ａ、前側右端部材５２３ａ、前端部材５２４、左前支持部材５２６ａおよび右前支持部材５２７ａを含む前フレーム５２ａと、後側左端部材５２１ｂ、後側中央部材５２２ｂ、後側右端部材５２３ｂ、後端部材５２５、左後支持部材５２６ｂおよび右後支持部材５２７ｂを含む後フレーム５２ｂと、に分割できる。
【００５９】
このような前フレーム５２ａと後フレーム５２ｂとは、左連結部６１、中央連結部６２および右連結部６３の３箇所で連結されて一体となっている。より詳細には、左連結部６１において、前側左端部材５２１ａの後端に設けられた左前連結部６１ａ（図９Ａ）と、後側左端部材５２１ｂの前端に設けられた左後連結部６１ｂ（図９Ｂ）と、が連結されている。また、中央連結部６２において、前側中央部材５２２ａの後端に設けられた中央前連結部６２ａ（図１０Ａ）と、後側中央部材５２２ｂの前端に設けられた中央後連結部６２ｂ（図１０Ｂ）と、が連結されている。また、右連結部６３において、前側右端部材５２３ａの後端に設けられた右前連結部６３ａ（図１１Ａ）と、後側右端部材５２３ｂの前端に設けられた右後連結部６３ｂ（図１１Ｂ）と、が連結されている。
【００６０】
（１−２−４−３−１）左前連結部６１ａ、左後連結部６１ｂ
以下、図９Ａおよび図９Ｂを参照して左前連結部６１ａおよび左後連結部６１ｂについて説明する。図９Ａは、左前連結部６１ａを背面側から視た拡大斜視図である。図９Ｂは、  左後連結部６１ｂを正面側から見た拡大斜視図である。
【００６１】
左前連結部６１ａには、左端近傍に左前接合面７０ａが設けられ、左前接合面７０ａにネジ孔７２ａが形成されている。また、左前接合面７０ａの左端には接合面保護リブ７３ａが設けられている。接合面保護リブ７３ａは、メンテナンス等の作業時において前フレーム５２ａを床や作業台等に置く場合、左前接合面７０ａが床等に接触して破損することを防ぐためのものである。左前接合面７０ａの右方向近傍には略四角形の第１リブ挿入孔８０ａが形成されている。さらに、第１リブ挿入孔８０ａの右方向近傍には横長の第１回転抑制リブ９１ａが配設されている。第１回転抑制リブ９１ａの上部には略四角形の第１上係止面９２ａが設けられ、下部には第１上係止面９２ａと同形状の第１下係止面９３ａが設けられている。
【００６２】
左後連結部６１ｂには、左端近傍にネジ孔７２ｂが形成された第１ネジボス７４ａが配設され、第１ネジボス７４ａの前端には左前接合面７０ａと当接する左後接合面７１ａが設けられている。また、左後接合面７１ａの右方向近傍には第１リブ挿入孔８０ａに嵌合する第１挿入リブ８１ａが形成されている。第１挿入リブ８１ａは、先端に行くほど細いテーパー状の形状に成形されており、第１リブ挿入孔８０ａに対して円滑に挿入および抜去が行えるようになっている。また、第１挿入リブ８１ａの右方向近傍には、第１係合部９４ａが形成されている。第１係合部９４ａは、第１回転抑制リブ９１ａが嵌りこむ程度の大きさを有する開口であり、その内部に天井部分と底面部分を有している。この第１係合部９４ａに第１回転抑制リブ９１ａが差し込まれると第１上係止面９２ａが第１係合部９４ａの天井部分に当接し、第１下係止面９３ａが第１係合部９４ａの底面部分に当接するようになっている。
【００６３】
左前連結部６１ａと左後連結部６１ｂとを連結する場合には、まず第１リブ挿入孔８０ａに第１挿入リブ８１ａが挿入されるとともに第１回転抑制リブ９１ａが第１係合部９４ａに差し込まれる。これにより左前接合面７０ａと左後接合面７１ａとが当接して、ネジ孔７２ａとネジ孔７２ｂとがネジで貫通できるように重なる。そして、ネジ孔７２ａおよび７２ｂを介してネジで螺着されて、左前連結部６１ａと左後連結部６１ｂとが連結した状態で固定される。
【００６４】
（１−２−４−３−２）中央前連結部６２ａ、中央後連結部６２ｂ
以下、図１０Ａおよび図１０Ｂを参照して中央前連結部６２ａおよび中央後連結部６２ｂについて説明する。図１０Ａは、中央前連結部６２ａを背面側から視た拡大斜視図である。図１０Ｂは、中央後連結部６２ｂを正面側から見た拡大斜視図である。
【００６５】
中央前連結部６２ａの上部には第１庇部７５が設けられており、第１庇部７５の底面には中央前接合面７０ｂが設けられている。また、中央前接合面７０ｂの後端近傍には引掛爪７６が設けられている。さらに、第１庇部７５の下方には略四角形の第２リブ挿入孔８０ｂが形成されている。
【００６６】
中央後連結部６２ｂの上部には第２庇部７７が設けられており、第２庇部７７の上面には中央後接合面７１ｂが設けられている。また、第２庇部７７の後端近傍には引掛爪７６と係合する嵌合孔７８が形成されている。さらに、第２庇部７７の下方には第２リブ挿入孔８０ｂに嵌合する第２挿入リブ８１ｂが設けられている。第２挿入リブ８１ｂは、第１挿入リブ８１ａと同様にテーパー状の形状に成形されており、第２リブ挿入孔８０ｂに対して円滑に挿入および抜去が行えるようになっている。
【００６７】
中央前連結部６２ａと中央後連結部６２ｂとを連結する場合には、まず第２挿入リブ８１ｂが第２リブ挿入孔８０ｂに挿入される。そして第２挿入リブ８１ｂが深く挿入されるにしたがって、引掛爪７６が中央後接合面７１ｂに乗り上げた状態で嵌合孔７８へと接近していく。そして挿入が一定状態に達すると引掛爪７６が嵌合孔７８に嵌りこみ、中央前連結部６２ａと中央後連結部６２ｂとが連結した状態で固定される。
【００６８】
（１−２−４−３−３）右前連結部６３ａ、右後連結部６３ｂ
以下、図１１Ａおよび図１１Ｂを参照して右前連結部６３ａおよび右後連結部６３ｂについて説明する。図１１Ａは、右前連結部６３ａを背面側から視た拡大斜視図である。図１１Ｂは、右後連結部６３ｂを正面側から見た拡大斜視図である。
【００６９】
右前連結部６３ａの右端近傍には右前接合面７０ｃ（以下、左前接合面７０ａ、中央前接合面７０ｂおよび右前接合面７０ｃを併せて前接合面７０と呼ぶ）が設けられ、右前接合面７０ｃにはネジ孔７２ｃが形成されている。また、右前接合面７０ｃの左方向近傍には略四角形の第３リブ挿入孔８０ｃ（以下、第１リブ挿入孔８０ａ、第２リブ挿入孔８０ｂおよび第３リブ挿入孔８０ｃを併せてリブ挿入孔８０と呼ぶ）が形成されている。
【００７０】
さらに、第３リブ挿入孔８０ｃの左方向近傍には、第２係合部９４ｂ（以下、第１係合部９４ａおよび第２係合部９４ｂを併せて係合部９４と呼ぶ）が配設されている。第２係合部９４ｂは、後述する第２回転抑制リブ９１ｂが嵌りこむ程度の大きさを有する開口であり、その内部に天井部分と底面部分を有している。なお、左前接合面７０ａと同様に右前接合面７０ｃの右端には接合面保護リブ７３ｂが設けられている。
【００７１】
右後連結部６３ｂには、右端近傍にネジ孔７２ｄが形成された第２ネジボス７４ｂが配設され、第２ネジボス７４ｂの先端には右前接合面７０ｃと当接する右後接合面７１ｃ（以下、左後接合面７１ａ、中央後接合面７１ｂおよび右後接合面７１ｃを併せて後接合面７１と呼ぶ）が設けられている。また、右後接合面７１ｃの左方向近傍には第３リブ挿入孔８０ｃに嵌合する第３挿入リブ８１ｃ（以下、第１挿入リブ８１ａ、第２挿入リブ８１ｂおよび第３挿入リブ８１ｃを併せて挿入リブ８１と呼ぶ）が形成されている。第３挿入リブ８１ｃは、第１挿入リブ８１ａおよび第２挿入リブ８１ｂと同様にテーパー状の形状に成形されており、第３リブ挿入孔８０ｃに対して円滑に挿入および抜去を行えるようになっている。
【００７２】
また、第３挿入リブ８１ｃの左方向近傍には、第２係合部９４ｂに差し込まれる第２回転抑制リブ９１ｂ（以下、第１回転抑制リブ９１ａおよび第２回転抑制リブ９１ｂを併せて回転抑制リブ９１と呼ぶ）が設けられている。第２回転抑制リブ９１ｂの上部には、略四角形の第２上係止面９２ｂ（以下、第１上係止面９２ａおよび第２上係止面９２ｂを併せて上係止面９２と呼ぶ）が設けられ、下部には第２上係止面９２ｂと同形状の第２下係止面９３ｂ（以下、第１下係止面９３ａおよび第２下係止面９３ｂを併せて下係止面９３と呼ぶ）が設けられている。この第２回転抑制リブ９１ｂが第２係合部９４ｂに差し込まれると、第２上係止面９２ｂは第２係合部９４ｂの天井部分に当接し、第２下係止面９３ｂは第２係合部９４ｂの底面部分に当接するようになっている。
【００７３】
右前連結部６３ａと右後連結部６３ｂとを連結する場合には、まず第３リブ挿入孔８０ｃに第３挿入リブ８１ｃが挿入されるとともに第２回転抑制リブ９１ｂが第２係合部９４ｂに差し込まれる。これにより、右前接合面７０ｃと右後接合面７１ｃとが当接して、ネジ孔７２ｃとネジ孔７２ｄとがネジで貫通できるように重なる。そして、ネジ孔７２ｃおよび７２ｄを介してネジで螺着されて、右前連結部６３ａと右後連結部６３ｂとが連結した状態で固定される。
【００７４】
（２）位置ずれ防止機能
以下、室内機３における支持フレーム５２の前後位置ずれ防止機能について説明する。
【００７５】
通常、室内機３の清掃ユニット５１のメンテンナンス等を行う場合、天井との間のスペースがほとんどないことから支持フレーム５２全体を取り外すことは困難であるため、前フレーム５２ａのみを取り外して作業が行われる。そして作業が完了した後、元の設置状態に戻すために前フレーム５２ａを後フレーム５２ｂに連結する。この際、左前連結部６１ａと左後連結部６１ｂとの螺着または右前連結部６３ａと右後連結部６３ｂとの螺着時におけるネジの締め付けトルクによって前フレーム５２ａと後フレーム５２ｂとが相対回転しそうになると、回転抑制リブ９１と係合部９４とが係止して相対回転を抑制する。具体的には、上係止面９２が係合部９４の天井部分と係止することにより、または下係止面９３が係合部９４の底面部分と係止することにより制動する。これにより、前フレーム５２ａと後フレーム５２ｂとの位置ずれが生じることを防いでいる。
【００７６】
（３）特徴
（３−１）
上記実施形態では、支持フレーム５２は、左前連結部６１ａおよび右前連結部６３ａを有する前フレーム５２ａと、ネジによって左前連結部６１ａと連結される左後連結部６１ｂおよびネジによって右前連結部６３ａと連結される右後連結部６３ｂを有する後フレーム５２ｂと、に分割される。これにより、室内機３を設置した状態において前フレーム５２ａの取り外しが容易に行えるようになっており、前フレーム５２ａに装着されている清掃ユニット５１などの修理や交換等を効率的に行うことが可能となっている。したがって、メンテナンス性を向上できている。
【００７７】
（３−２）
上記実施形態では、左前連結部６１ａおよび右後連結部６３ｂは回転抑制リブ９１を含み、左後連結部６１ｂおよび右前連結部６３ａは回転抑制リブ９１のネジの回転方向に当接する係合部９４を含んでいる。これにより、左前連結部６１ａと左後連結部６１ｂとが螺着される際および右前連結部６３ａと右後連結部６３ｂとが螺着される際のネジの締付けトルクにより、前フレーム５２ａと後フレーム５２ｂとが相対回転しそうになっても、回転抑制リブ９１と係合部９４とが当接して制動する。したがって、前フレーム５２ａと後フレーム５２ｂとの位置ずれを抑えることができている。
【００７８】
（３−３）
上記実施形態では、左後連結部６１ｂ、中央後連結部６２ｂおよび右後連結部６３ｂは挿入リブ８１を含み、左前連結部６１ａ、中央前連結部６２ａおよび右前連結部６３ａはリブ挿入孔８０を含んでいる。これにより、前フレーム５２ａと後フレーム５２ｂとを連結する際の前接合面７０と後接合面７１との位置合わせが容易となるようにできており、また衝撃等の外力に対する支持フレーム５２の強度を高くできている。
【００７９】
（３−４）
上記実施形態では、中央前連結部６２ａは引掛爪７６を有し、中央後連結部６２ｂは嵌合孔７８をさらに有する。これにより、前フレーム５２ａと後フレーム５２ｂとを連結する際の前接合面７０と後接合面７１との位置あわせが容易となるようにできており、また衝撃等の外力に対する支持フレーム５２の強度を高くできている。
【００８０】
（３−５）
上記実施形態では、引掛爪７６の近傍には、第２リブ挿入孔８０ｂが配設され、嵌合孔７８の近傍には、第２挿入リブ８１ｂが配設されている。これにより、前フレーム５２ａと後フレーム５２ｂとを連結する際の前接合面７０と後接合面７１との位置あわせが容易となるようにできており、また衝撃等の外力に対する支持フレーム５２の強度を高くできている。
【００８１】
（３−６）
上記実施形態では、前フレーム５２ａは、前側左端部材５２１ａに左前連結部６１ａを、前側右端部材５２３ａに右前連結部６３ａを有する。また、後フレーム５２ｂは、後側左端部材５２１ｂに左後連結部６１ｂを、後側右端部材５２３ｂに右後連結部６３ｂを有する。そして、左前連結部６１ａと左後連結部６１ｂとが連結され、右前連結部６３ａと右後連結部６３ｂとが連結されて、前フレーム５２ａと後フレーム５２ｂとが連結されている。これにより衝撃等の外力に対する支持フレーム５２の強度を高くできている。
【００８２】
（４）変形例
（４−１）変形例１Ａ
上記実施形態では、左前連結部６１ａおよび右後連結部６３ｂに回転抑制リブ９１が配設され、左後連結部６１ｂおよび右前連結部６３ａに係合部９４が配設されたが、配設態様についてはこれに限定されない。例えば、左前連結部６１ａおよび右前連結部６３ａに回転抑制リブ９１および係合部９４のいずれか一方を設けて、左後連結部６１ｂおよび右後連結部６３ｂに回転抑制リブ９１および係合部９４の他方を設けてもよい。また、第１回転抑制リブ９１ａ・第１係合部９４ａと、第２回転抑制リブ９１ｂ・第２係合部９４ｂと、のいずれか一方の組み合わせについては適宜省略してもよい。また、回転抑制リブ９１または係合部９４のいずれか一方を中央前連結部６２ａに設けて、他方を中央後連結部６２ｂに設けてもよい。
【００８３】
（４−２）変形例１Ｂ
上記実施形態では、回転抑制リブ９１には上係止面９２および下係止面９３が設けられたが、予め前フレーム５２ａと後フレーム５２ｂとの相対回転が生じる方向が決まっている場合には、上係止面９２および下係止面９３のいずれか一方を適宜省略してもよい。また、回転抑制リブ９１が係合部９４の天井部分および底面部分に当接する形状を有していれば、上係止面９２および下係止面９３の両方を適宜省略してもよい。
【００８４】
（４−３）変形例１Ｃ
上記実施形態では、回転抑制リブ９１・係合部９４とは別に挿入リブ８１・リブ挿入孔８０が設けられたが、挿入リブ８０に回転抑制リブ９１の機能をもたせて、リブ挿入孔８０に係合部９４の機能をもたせてもよい。例えば、回転抑制リブ９１および係合部９４を省略して、挿入リブ８１に上係止面９２および下係止面９３を設けて、上係止面９２および下係止面９３がリブ挿入孔８０に当接するようにしてもよい。
【産業上の利用可能性】
【００８５】
本発明は、空調室内機に利用可能である。
【符号の説明】
【００８６】
３            室内機
３３          フィルタ機構
５０          フィルタユニット
５００        エアフィルタ
５０１        フィルタガイド
５０４        連結部材
５１          清掃ユニット
５２          支持フレーム
５２ａ        前フレーム
５２ｂ        後フレーム
５２１ａ      前側左端部材
５２１ｂ      後側左端部材
５２２ａ      前側中央部材
５２２ｂ      後側中央部材
５２３ａ      前側右端部材
５２３ｂ      後側右端部材
５２４        前端部材
５２５        後端部材
６１ａ        左前連結部
６１ｂ        左後連結部
６２ａ        中央前連結部
６２ｂ        中央後連結部
６３ａ        右前連結部
６３ｂ        右後連結部
７０          前接合面
７１          後接合面
７２ａ〜ｄ    ネジ孔
７４ａ        第１ネジボス
７４ｂ        第２ネジボス
７６          引掛爪
７８          嵌合孔
８０          リブ挿入孔
８１          挿入リブ
９１          回転抑制リブ
９２          上係止面
９３          下係止面
９４          係合部
【先行技術文献】
【特許文献】
【００８７】
【特許文献１】特開２０１０−１９７０３４号公報
【図１】
2014070824.tif 000003
【図２】
2014070824.tif 000004
【図３】
2014070824.tif 000005
【図４】
2014070824.tif 000006
【図５】
2014070824.tif 000007
【図６】
2014070824.tif 000008
【図７】
2014070824.tif 000009
【図８】
2014070824.tif 000010
【図９Ａ】
2014070824.tif 000011
【図９Ｂ】
2014070824.tif 000012
【図１０Ａ】
2014070824.tif 000013
【図１０Ｂ】
2014070824.tif 000014
【図１１Ａ】
2014070824.tif 000015
【図１１Ｂ】
2014070824.tif 000016